(57)【要約】【課題】駆動部を作業灯に設けることなく、照明領域を円滑に変更できる作業灯を提供する。【解決手段】作業灯１は、所定の照明対象領域を照明する作業灯である。作業灯１は、第１の照明部１０を含む。第１の照明部１０は、左右方向に沿って一列に配列された、点灯および消灯可能な３つ以上の発光部１１を含む。各発光部１１が、前記第１の方向に関して隣り合う発光部１１の光軸同士が前方に向かうに従って左右方向に関して離反している。作業灯１は、第１の照明部１０に含まれる各発光部１１の点灯および消灯を制御する点灯制御部を含む。点灯制御部が、他の発光部を消灯させながら互いに隣り合う複数の発光部を同時に点灯させる第１の態様と、他の発光部を消灯させながら互いに隣り合う複数の発光部を同時に点灯させる態様であって、点灯している発光部が前記第１の態様と一部のみ重複する第２の態様とを実行可能である。【選択図】図１
2020149851.tif 000002
【特許請求の範囲】
【請求項１】
所定の照明対象領域を照明する作業灯であって、
前記照明対象領域から見て、前後方向に交差する所定の第１の方向に沿って一列に配列された、点灯および消灯可能な３つ以上の発光部を含む第１の照明部と、
前記第１の照明部に含まれる各発光部の点灯および消灯を制御する点灯制御装置とを含み、
前記第１の照明部に含まれる各発光部が、前記第１の方向に関して隣り合う発光部の光軸同士が前方に向かうに従って前記第１の方向に関して離反しており、
前記点灯制御装置が、他の発光部を消灯させながら互いに隣り合う複数の発光部を同時に点灯させる第１の態様と、他の発光部を消灯させながら互いに隣り合う複数の発光部を同時に点灯させる態様であって、点灯している発光部が前記第１の態様と一部のみ重複する第２の態様とを実行可能であり、
前記点灯制御装置が、前記第１の態様の終了に引き続いて前記第２の態様を実行可能である、作業灯。
【請求項２】
前記第２の態様において点灯している発光部が、前記第１の態様において点灯している発光部と同数である、請求項１に記載の作業灯。
【請求項３】
前記点灯制御装置が、他の発光部を消灯させながら互いに隣り合う複数の発光部を同時に点灯させる態様であって、点灯している発光部が前記第２の態様と一部のみ重複するが、点灯している発光部が前記第１の態様と全く重複しない、第３の態様をさらに実行可能であり、
前記点灯制御装置が、前記第１の態様の終了に引き続いて前記第３の態様を実行しない、請求項１または２に記載の作業灯。
【請求項４】
前記第１の照明部に対して、前記第１の方向および前後方向に交差する所定の第２の方向に配置された第２の照明部であって、前記照明対象領域から見て、前記第１の方向に沿って一列に配列された、点灯および消灯可能な３つ以上の発光部を含む第２の照明部をさらに含み、
前記点灯制御装置が、前記第２の照明部に含まれる各発光部の点灯および消灯をさらに制御し、
前記第２の照明部に含まれる各発光部が、前記第１の方向に関して隣り合う発光部の光軸同士が前方に向かうに従って前記第１の方向に関して離反しており、
前記点灯制御装置が、他の発光部を消灯させながら互いに隣り合う複数の発光部を同時に点灯させる第４の態様をさらに実行可能であり、
前記点灯制御装置が、前記第１の態様の終了に引き続いて前記第４の態様を実行可能である、請求項１〜３のいずれか一項に記載の作業灯。
【請求項５】
前記第１の照明部に含まれる発光部の光軸と、前記第２の照明部に含まれる発光部の光軸とが、前方に向かうに従って前記第２の方向に関して離反するように設けられている、請求項４に記載の作業灯。
【請求項６】
発光部が、１つまたは複数個の光源を含み、
各光源が、ＬＥＤを含む、請求項１〜５のいずれか一項に記載の作業灯。
【発明の詳細な説明】
【技術分野】
【０００１】
この発明は、作業灯に関する。
【背景技術】
【０００２】
夜間作業において所定の照明対象領域を照明する作業灯が知られている。作業灯は、作業者から離れた場所（たとえば高所）に設置されることがある。下記特許文献１には、消防車等の作業車の屋根に設置される放電灯が開示されている。作業者から離れた場所に放電灯が設置されていることがある。特許文献１では、放電灯にモータを結合し、遠隔操作によってモータを駆動して放電灯の向きを変更することにより、放電灯による照明領域を変更させている。
【先行技術文献】
【特許文献】
【０００３】
【特許文献１】実用新案登録第３０９２０６０号公報
【発明の概要】
【発明が解決しようとする課題】
【０００４】
しかしながら、特許文献１に記載の作業灯（放電灯）は、モータや歯車等の駆動部が入っている。このような駆動部は振動の影響を受け易い。設置場所によっては、作業灯に振動が入り易い。この場合、駆動部が壊れ易い、という問題がある。
また、このような照明領域の変更は、円滑に行うことが望まれている。
すなわち、モータ等の駆動部を作業灯に設けることなく、照明領域を円滑に変更できる作業灯が求められている。
【０００５】
そこで、この発明の一の目的は、駆動部を作業灯に設けることなく照明領域を円滑に変更できる作業灯を提供することである。
【課題を解決するための手段】
【０００６】
この発明は、所定の照明対象領域を照明する作業灯であって、前記照明対象領域から見て、前後方向に交差する所定の第１の方向に沿って一列に配列された、点灯および消灯可能な３つ以上の発光部を含む第１の照明部と、前記第１の照明部に含まれる各発光部の点灯および消灯を制御する点灯制御装置とを含み、前記第１の照明部に含まれる各発光部が、前記第１の方向に関して隣り合う発光部の光軸同士が前方に向かうに従って前記第１の方向に関して離反しており、前記点灯制御装置が、他の発光部を消灯させながら互いに隣り合う複数の発光部を同時に点灯させる第１の態様と、他の発光部を消灯させながら互いに隣り合う複数の発光部を同時に点灯させる態様であって、点灯している発光部が前記第１の態様と一部のみ重複する第２の態様とを実行可能であり、前記点灯制御装置が、前記第１の態様の終了に引き続いて前記第２の態様を実行可能である、作業灯を提供する。
【０００７】
この発明の一実施形態では、前記第２の態様において発光している、前記第１の照明部に含まれる発光部が、前記第１の態様において発光している、前記第１の照明部に含まれる発光部と同数である。
この発明の一実施形態では、前記点灯制御装置が、他の発光部を消灯させながら互いに隣り合う複数の発光部を同時に点灯させる態様であって、点灯している発光部が前記第２の態様と一部のみ重複するが、点灯している発光部が前記第１の態様と全く重複しない、第３の態様をさらに実行可能であり、前記点灯制御装置が、前記第１の態様の終了に引き続いて前記第３の態様を実行しない。
【０００８】
この発明の他の実施形態では、前記第１の照明部に対して、前記第１の方向および前後方向に交差する所定の第２の方向に配置された第２の照明部であって、前記照明対象領域から見て、前記第１の方向に沿って一列に配列された、点灯および消灯可能な３つ以上の発光部を含む第２の照明部をさらに含み、前記点灯制御装置が、前記第２の照明部に含まれる各発光部の点灯および消灯をさらに制御し、前記第２の照明部に含まれる各発光部が、前記第１の方向に関して隣り合う発光部の光軸同士が前方に向かうに従って前記第１の方向に関して離反しており、前記点灯制御装置が、他の発光部を消灯させながら互いに隣り合う複数の発光部を同時に点灯させる第４の態様をさらに実行可能であり、前記点灯制御装置が、前記第１の態様の終了に引き続いて前記第４の態様を実行可能である。
【０００９】
この場合、前記第１の照明部に含まれる少なくとも発光部の光軸と、前記第２の照明部に含まれる少なくとも発光部の光軸とが、前方に向かうに従って前記第２の方向に関して離反するように設けられていてもよい。
この発明の一実施形態では、発光部が、１つまたは複数個の光源を含み、各光源が、ＬＥＤを含む。
【発明の効果】
【００１０】
この発明によれば、作業灯が、一列に配列された３つ以上の発光部を含む第１の照明部を含む。第１の照明部において、第１の方向に関して隣り合う発光部の光軸同士が、前方に向かうに従って第１の方向に関して離反している。そして、第１の態様の終了に引き続いて、点灯している発光部が第１の態様と一部のみ重複する第２の態様が実行可能である。
【００１１】
第１の態様から第２の態様へと発光態様を切り換えることにより、照明領域が変化する。３つ以上の発光部の点灯／消灯の切り換えにより、モータや歯車等の駆動部を作業灯に設けることなく照明領域を変更できる。
また、第２の態様においては、一部の発光部の点灯を維持しながら、第１の態様において点灯していた発光部を消灯させ、かつ第１の態様において消灯していた発光部を点灯させる。これにより、照明領域を細かな単位で変更できる。ゆえに、照明領域を円滑に変更できる。
【００１２】
以上により、モータや歯車等の駆動部を作業灯に設けることなく、照明領域を円滑に変更できる作業灯を提供できる。
【図面の簡単な説明】
【００１３】
【図１】本発明の第１の実施形態に係る作業灯の構成を示す斜視図である。
【図２】前記作業灯の構成を示す分解斜視図である。
【図３】前記作業灯の使用状況を説明するための模式的な正面図である。
【図４】前記作業灯に含まれる第１の照明部の構成を上方から見た断面図である。
【図５】前記作業灯の電気的構成を示すブロック図である。
【図６】前記第１の照明部の発光態様を説明するための模式的な正面図である。
【図７】照明領域の位置の変更を説明するための図である。
【図８】本発明の第２の実施形態に係る作業灯の構成を示す斜視図である。
【図９Ａ】前記作業灯の使用状況を説明するための模式的な正面図である。
【図９Ｂ】前記作業灯の模式的な側面図である。
【図１０】第１の照明部および第２の照明部の発光態様を説明するための模式的な正面図である。
【図１１】照明領域の位置の変更を説明するための図である。
【図１２Ａ】本発明の第３の実施形態に係る作業灯の構成を示す斜視図である。
【図１２Ｂ】前記作業灯の模式的な側面図である。
【図１３】第１の照明部、第２の照明部および第３の照明部の発光態様を説明するための模式的な正面図である。
【図１４】照明領域の位置の変更を説明するための図である。
【図１５】各照明部の発光態様の他の態様を説明するための模式的な正面図である。
【図１６】照明領域の位置の変更を説明するための図である。
【発明を実施するための形態】
【００１４】
以下では、本発明の実施形態を、添付図面を参照して詳細に説明する。
図１は、本発明の第１の実施形態に係る作業灯１の構成を示す斜視図である。図２は、作業灯１の構成を示す分解斜視図である。図３は、作業灯１の使用状況を説明するための模式的な正面図である。図４は、作業灯１に含まれる第１の照明部１０の構成を上方から見た断面図である。
【００１５】
作業灯１は、夜間作業に用いられる。図３に示すように、作業灯１は、たとえば高所（作業者から離れた場所）に設けられた設置位置ＩＰに設置される。具体的には、作業灯１は、消防車等の作業車の屋根に設置されている。設置高さＨ（図３参照）は、たとえば数メートル（たとえば、約２メートル）である。作業灯１は、設置位置ＩＰから、地上の所定の作業領域（照明対象領域）ＷＡを照明する。この作業領域ＷＡから設置位置ＩＰまでの水平方向距離Ｌ１は、たとえば数メートル（たとえば、約３メートル）である。
【００１６】
図１〜図３に示すように、作業灯１は、第１の照明部１０と、設置位置ＩＰにおいて、第１の照明部１０を支持する支持台２と、第１の照明部１０を制御するための制御装置３（図５参照）と、作業灯１を作業者が操作するためのリモコン（リモートコントローラ）４とを含む。第１の照明部１０は、支持台２に対する上下方向Ｚに対する向きを変更可能に、支持台２に取り付けられている。すなわち、第１の照明部１０は、水平面に対する照明角度を変更可能である。
【００１７】
図１および図４に示すように、第１の照明部１０は、左右方向Ｘ（第１の方向）に沿う円弧状に配列（作業領域ＷＡから見て、左右方向Ｘに沿って一列に配列）された複数（３つ以上。第１の実施形態の例では６つ）の発光部１１Ａ，１１Ｂ，１１Ｃ，１１Ｄ，１１Ｅ，１１Ｆ（発光部を総称するときは「発光部１１」とする。）を含む。発光部１１の上下高さは揃っている。各発光部１１は、所定個数（たとえば１つ）のランプ１３を備えている。複数の発光部１１の光軸１２Ａ，１２Ｂ，１２Ｃ，１２Ｄ，１２Ｅ，１２Ｆ（光軸を総称するときは「光軸１２」とする。）は、平面視において、左右方向Ｘに隣り合う発光部１１のランプ１３の光軸１２同士が前方（光の進行方向）に向かうに従って左右方向Ｘに離反するように設けられている。また、側面視において、複数の発光部１１の光軸１２の向きは揃っている。各発光部１１は、単独で、点灯または消灯可能に設けられている。
【００１８】
第１の照明部１０の具体的な構成について説明する。
第１の照明部１０は、複数（たとえば６つ）のランプ１３と、ホルダ１４と、反射板１５と、反射部材１６と、カバー１７とを含む。
各ランプ１３は、たとえばＬＥＤである。このＬＥＤは、たとえば高輝度ＬＥＤである。各ランプ１３は、単独で、点灯または消灯可能に設けられている。
【００１９】
ホルダ１４は、複数のランプ１３を一括して保持する。ホルダ１４は、複数のランプ１３が取り付けられる前面１４ａを有している。前面１４ａは、左右方向Ｘにつながる複数の平面によって構成される。前面１４ａは、全体として、共通の仮想円弧に沿ってて延びている。前面１４ａの断面形状は、共通の仮想円弧に外接する多角形状をなしている。ホルダ１４は、樹脂製である。
【００２０】
反射板１５は、ホルダ１４の前面１４ａに整合する形状を有し、ホルダ１４の前面１４ａに取り付けられる。すなわち、反射板１５は、前記の仮想円弧に沿って左右方向Ｘに延びている。複数のランプ１３は、反射板１５を介して、前面１４ａに取り付けられる。反射板１５は、反射部材１６によって覆われる。
反射部材１６は、前記の仮想円弧に沿って左右方向Ｘに延びている。反射部材１６には、複数（発光部１１の個数と同数）の反射穴１６ａが形成されている。各反射穴１６ａは、前方が広く後方が狭くなるような円錐台形をなしている。各反射穴１６ａの傾斜角度（図４のα）は、４５°〜７５°の範囲内の所定角度に設定されている。複数の反射穴１６ａの中心軸は、平面視において、左右方向Ｘに隣り合う反射穴１６ａの中心軸同士が前方に向かうに従って左右方向Ｘに離反するように設けられている。
【００２１】
１つの反射穴１６ａの内壁によって、ランプ１３を収容するための収容空間１８が区画される。ランプ１３は、収容空間１８の後端開口から収容空間１８の内部に臨んでいる。１つの収容空間１８に１つのランプ１３が収容される。反射部材１６へのホルダ１４への固定は、ねじ等の固定手段を用いて達成される。
カバー１７は、前記の仮想円弧に沿う（左右方向Ｘに沿う）円弧状である。カバー１７は、複数のランプ１３の前面を一括して覆う。カバー１７は、乳白色の樹脂材料を用いて透光可能に設けられている。カバー１７の縦断面も、円弧状である。
【００２２】
ランプ１３が点灯されると、ランプ１３からの光が、収容空間１８を通って、カバー１７の前面から前方へと放出される。すなわち、１つの収容空間１８および１つのランプ１３が、１つの発光部１１に含まれる。
発光部１１Ａ〜１１Ｆは、円弧状に沿って、たとえば等角度間隔に配置されている。平面視における、発光部１１Ａ，１１Ｂの光軸１２Ａ，１２Ｂ同士のなす角度θ１は、約２２°である。平面視における、発光部１１Ｂ，１１Ｃの光軸１２Ｂ，１２Ｃ同士のなす角度θ２は、約２２°である。平面視における、発光部１１Ｃ，１１Ｄの光軸１２Ｃ，１２Ｄ同士のなす角度θ３は、約２２°である。平面視における、発光部１１Ｄ，１１Ｅの光軸１２Ｄ，１２Ｅ同士のなす角度θ４は、約２２°である。平面視における、発光部１１Ｅ，１１Ｆの光軸１２Ｅ，１２Ｆ同士のなす角度θ５は、約２２°である。
【００２３】
支持台２は、ベース板１９と、ベース板１９の左右端から上方に連なる一対のアーム
２０と、支持台２に対する第１の照明部１０の姿勢を変更する姿勢変更ユニットとを含む。支持台２は、正面視で略Ｕ字状をなしている。姿勢変更ユニットは、各アーム２０に形成された回動軸穴２０ａおよび円弧状溝２１と、回動軸ピン２２および係合ピン２３とを含む。回動軸穴２０ａを挿通して回動軸ピン２２を第１の照明部１０のホルダ１４の左右端に固定し、かつ円弧状溝２１を挿通して係合ピン２３を第１の照明部１０のホルダ１４の左右端に固定することにより、第１の照明部１０が、支持台２によって、回動軸２２回りに回動可能に支持されている。
【００２４】
円弧状溝２１に対する係合ピン２３の位置決めにより、支持台２に対する第１の照明部１０の姿勢）が調整される。支持台２に対する第１の照明部１０の姿勢は、第１の照明部１０による照明領域が、作業領域ＷＡ（すなわち、照明対象領域）に位置するように設定されている。
第１の照明部１０の一つの発光部１１が点灯状態にあると、作業領域ＷＡに、真円形、楕円形、真円形に近い形状または楕円形に近い形状（以下、真円形、楕円形、真円形に近い形状、および楕円形に近い形状をまとめて、「略円形」という。）の照明領域（図７参照）が形成される。
【００２５】
具体的には、第１の発光部１１Ａの点灯に伴って、第１の照明領域３０Ａ（図７（ａ）参照）が作業領域ＷＡに形成される。第２の発光部１１Ｂの点灯に伴って、第２の照明領域３０Ｂ（図７（ａ）参照）が作業領域ＷＡに形成される。第３の発光部１１Ｃの点灯に伴って、第３の照明領域３０Ｃ（図７（ａ）参照）が作業領域ＷＡに形成される。第４の発光部１１Ｄの点灯に伴って、第４の照明領域３０Ｄ（図７（ａ）参照）が作業領域ＷＡに形成される。第５の発光部１１Ｅの点灯に伴って、第５の照明領域３０Ｅ（図７（ａ）参照）が作業領域ＷＡに形成される。第６の発光部１１Ｆの点灯に伴って、第６の照明領域３０Ｆ（図７（ａ）参照）が作業領域ＷＡに形成される。
【００２６】
図１に示すように、リモコン４には、中央スイッチ４１、左キー４２および右キー４３が備えられている。
図５は、作業灯１の電気的構成を示すブロック図である。
制御装置３は、点灯制御部（点灯制御装置）３１と、リモコン４との通信を行うための通信Ｉ／Ｆ部３２と、を含む。
【００２７】
点灯制御部３１は、たとえばマイクロコンピュータを用いて構成されている。点灯制御部３１は、ＣＰＵ等の演算部、およびハードディスクドライブ等の記憶デバイスを有している。点灯制御部３１には、通信Ｉ／Ｆ部３２およびリモコン４の通信Ｉ／Ｆ部４４を介して、リモコン４と通信可能に設けられている。点灯制御部３１は、リモコン４の操作を受け付けたり、当該操作に基づいて、各発光部（第１の発光部１１Ａ〜第６の発光部１１Ｆ）の点灯動作および消灯動作を制御したりする。
【００２８】
図６は、第１の照明部１０の発光態様を説明するための模式的な正面図である。第１の照明部１０の第１の発光態様ＬＭ１を図６（ａ）に示し、第１の照明部１０の第２の発光態様ＬＭ２を図６（ｂ）に示す。第１の照明部１０の第３の発光態様ＬＭ３を図６（ｃ）に示し、第１の照明部１０の第４の発光態様ＬＭ４を図６（ｄ）に示す。第１の照明部１０の第５の発光態様ＬＭ５を図６（ｅ）に示す。
【００２９】
図７は、照明領域の位置の変更を説明するための図である。第１の照明部１０の第１の発光態様ＬＭ１における照明領域３０Ａ，３０Ｂを図７（ａ）に示し、第１の照明部１０の第２の発光態様ＬＭ２における照明領域３０Ｂ，３０Ｃを図７（ｂ）に示す。第１の照明部１０の第３の発光態様ＬＭ３における照明領域３０Ｃ，３０Ｄを図７（ｃ）に示し、第１の照明部１０の第４の発光態様ＬＭ４における照明領域３０Ｄ，３０Ｅを図７（ｄ）に示す。第１の照明部１０の第５の発光態様ＬＭ５における照明領域３０Ｅ，３０Ｆを図７（ｅ）に示す。図７（ａ）〜７（ｅ）には、所定値以上（たとえば約１００ルクス以上）の輝度を有する領域のみを照明領域として略円（具体的には楕円）で示している。なお、図７は、第１の照明部１０側から見た模式図である（図１１および図１４において同じ）。
【００３０】
図６（ａ）に示すように、第１の発光態様ＬＭ１は、第１の発光部１１Ａおよび第２の発光部１１Ｂを同時に点灯させながら、他の発光部（第３の発光部１１Ｃ、第４の発光部１１Ｄ、第５の発光部１１Ｅおよび第６の発光部１１Ｆ）を消灯させる態様である。第１の照明部１０が第１の発光態様ＬＭ１で発光しているとき、図７（ａ）に示すように、２つの略円形の第１および第２の照明領域３０Ａ，３０Ｂ（それぞれ、たとえば直径約７０ｃｍの略円形）が、作業領域ＷＡにおいて一方向に沿って並ぶ。角度θ１が２２°である場合、隣接する第１および第２の照明領域３０Ａ，３０Ｂは、互いに部分的に重複している。
【００３１】
図６（ｂ）に示すように、第２の発光態様ＬＭ２は、第２の発光部１１Ｂおよび第３の発光部１１Ｃを同時に点灯させながら、他の発光部（第１の発光部１１Ａ、第４の発光部１１Ｄ、第５の発光部１１Ｅおよび第６の発光部１１Ｆ）を消灯させる態様である。第１の照明部１０が第２の発光態様ＬＭ２で発光しているとき、図７（ｂ）に示すように、２つの略円形の第２および第３の照明領域３０Ｂ，３０Ｃ（それぞれ、たとえば直径約７０ｃｍの略円形）が、作業領域ＷＡにおいて一方向に沿って並ぶ。角度θ２が２２°である場合、隣接する第２および第３の照明領域３０Ｂ，３０Ｃは、互いに部分的に重複している。
【００３２】
図６（ｃ）に示すように、第３の発光態様ＬＭ３は、第３の発光部１１Ｃおよび第４の発光部１１Ｄを同時に点灯させながら、他の発光部（第１の発光部１１Ａ、第２の発光部１１Ｂ、第５の発光部１１Ｅおよび第６の発光部１１Ｆ）を消灯させる態様である。第１の照明部１０が第３の発光態様ＬＭ３で発光しているとき、図７（ｃ）に示すように、２つの略円形の第３および第４の照明領域３０Ｃ，３０Ｄ（それぞれ、たとえば直径約７０ｃｍの略円形）が、作業領域ＷＡにおいて一方向に沿って並ぶ。角度θ３が２２°である場合、隣接する第３および第４の照明領域３０Ｃ，３０Ｄは、互いに部分的に重複している。
【００３３】
図６（ｄ）に示すように、第４の発光態様ＬＭ４は、第４の発光部１１Ｄおよび第５の発光部１１Ｅを同時に点灯させながら、他の発光部（第１の発光部１１Ａ、第２の発光部１１Ｂ、第３の発光部１１Ｃおよび第６の発光部１１Ｆ）を消灯させる態様である。第１の照明部１０が第４の発光態様ＬＭ４で発光しているとき、図７（ｄ）に示すように、２つの略円形の第４および第５の照明領域３０Ｄ，３０Ｅ（それぞれ、たとえば直径約７０ｃｍの略円形）が、作業領域ＷＡにおいて一方向に沿って並ぶ。角度θ４が２２°である場合、隣接する第４および第５の照明領域３０Ｄ，３０Ｅは、互いに部分的に重複している。
【００３４】
図６（ｅ）に示すように、第５の発光態様ＬＭ５は、第５の発光部１１Ｅおよび第６の発光部１１Ｆを同時に点灯させながら、他の発光部（第１の発光部１１Ａ、第２の発光部１１Ｂ、第３の発光部１１Ｃおよび第４の発光部１１Ｄ）を消灯させる態様である。第１の照明部１０が第５の発光態様ＬＭ５で発光しているとき、図７（ｅ）に示すように、２つの略円形の第５および第６の照明領域３０Ｅ，３０Ｆ（それぞれ、たとえば直径約７０ｃｍの略円形）が、作業領域ＷＡにおいて一方向に沿って並ぶ。角度θ５が２２°である場合、隣接する第５および第６の照明領域３０Ｅ，３０Ｆは、互いに部分的に重複している。
【００３５】
第１の照明部１０の発光状態／非発光状態の切り換え、および第１の照明部１０の発光態様の切り換え（第１の発光態様ＬＭ１〜第５の発光態様ＬＭ５の間での切り換え）は、作業者がリモコン４を操作することにより行われる。
第１の照明部１０の消灯状態から、リモコン４の中央スイッチ４１が操作（オン操作）されると、点灯制御部３１は、第１の照明部１０を、５つの発光態様ＬＭ１〜ＬＭ５のうち、所定の一の発光態様（たとえば第３の発光態様ＬＭ３（図６（ｃ）参照））で発光するように制御する。そして、左キー４２および右キー４３を操作することにより、第１の照明部１０の発光態様（発光態様ＬＭ１〜ＬＭ５）が切り換えられる。そして、リモコン４の中央スイッチ４１が操作（オフ操作）されることにより、点灯制御部３１は、全ての発光部１１を消灯させる（非発光状態）。
【００３６】
次に、第１の照明部１０の発光態様（第１の発光態様ＬＭ１〜第５の発光態様ＬＭ５）の切り換えについて説明する。
第１の発光態様ＬＭ１（図６（ａ）参照）からの発光態様の切り換え先は、第２の発光態様ＬＭ２のみである。第１の照明部１０が第１の発光態様ＬＭ１で発光している状態で、右キー４３が１回操作されると、第１の照明部１０の発光態様が、第２の発光態様ＬＭ２（図６（ｂ）参照）に切り換わる。これにより、照明領域が、第１および第２の照明領域３０Ａ，３０Ｂから第２および第３の照明領域３０Ｂ，３０Ｃに移る。
【００３７】
第２の発光態様ＬＭ２から、第１の発光態様ＬＭ１または第３の発光態様ＬＭ３（図６（ｃ）参照）に選択的に切り換え可能である。第２の発光態様ＬＭ２からの発光態様の切り換え先は、第１の発光態様ＬＭ１および第３の発光態様ＬＭ３のみである。
第１の照明部１０が第２の発光態様ＬＭ２で発光している状態で、右キー４３が１回操作されると、第１の照明部１０の発光態様が、第３の発光態様ＬＭ３に切り換わる。これにより、照明領域が、第２および第３の照明領域３０Ｂ，３０Ｃから第３および第４の照明領域３０Ｃ，３０Ｄに移る。
【００３８】
また、第１の照明部１０が第２の発光態様ＬＭ２で発光している状態で、左キー４２が１回操作されると、第１の照明部１０の発光態様が、第１の発光態様ＬＭ１に切り換わる。これにより、照明領域が、第２および第３の照明領域３０Ｂ，３０Ｃから第１および第２の照明領域３０Ａ，３０Ｂに移る。
第３の発光態様ＬＭ３から、第２の発光態様ＬＭ２または第４の発光態様ＬＭ４（図６（ｄ）参照）に選択的に切り換え可能である。第３の発光態様ＬＭ３からの発光態様の切り換え先は、第２の発光態様ＬＭ２および第４の発光態様ＬＭ４のみである。
【００３９】
第１の照明部１０が第３の発光態様ＬＭ３で発光している状態で、右キー４３が１回操作されると、第１の照明部１０の発光態様が、第４の発光態様ＬＭ４に切り換わる。これにより、照明領域が、第３および第４の照明領域３０Ｃ，３０Ｄから第４および第５の照明領域３０Ｄ，３０Ｅに移る。
第１の照明部１０が第３の発光態様ＬＭ３で発光している状態で、左キー４２が１回操作されると、第１の照明部１０の発光態様が、第２の発光態様ＬＭ２に切り換わる。これにより、照明領域が、第３および第４の照明領域３０Ｃ，３０Ｄから第２および第３の照明領域３０Ｂ，３０Ｃに移る。
【００４０】
第４の発光態様ＬＭ４から、第３の発光態様ＬＭ３または第５の発光態様ＬＭ５（図６（ｅ）参照）に選択的に切り換え可能である。第４の発光態様ＬＭ４からの発光態様の切り換え先は、第３の発光態様ＬＭ３および第５の発光態様ＬＭ５のみである。
第１の照明部１０が第４の発光態様ＬＭ４で発光している状態で、右キー４３が１回操作されると、第１の照明部１０の発光態様が、第５の発光態様ＬＭ５に切り換わる。これにより、照明領域が、第４および第５の照明領域３０Ｄ，３０Ｅから第５および第６の照明領域３０Ｅ，３０Ｆに移る。
【００４１】
第１の照明部１０が第４の発光態様ＬＭ４で発光している状態で、左キー４２が１回操作されると、第１の照明部１０の発光態様が、第３の発光態様ＬＭ３に切り換わる。これにより、照明領域が、第４および第５の照明領域３０Ｄ，３０Ｅから第３および第４の照明領域３０Ｃ，３０Ｄに移る。
第５の発光態様ＬＭ５からの発光態様の切り換え先は、第４の発光態様ＬＭ４のみである。第１の照明部１０が第５の発光態様ＬＭ５で発光している状態で、左キー４２が１回操作されると、第１の照明部１０の発光態様が、第４の発光態様ＬＭ４に切り換わる。これにより、照明領域が、第５および第６の照明領域３０Ｅ，３０Ｆから第４および第５の照明領域３０Ｄ，３０Ｅに移る。
【００４２】
以上により、第１の実施形態によれば、作業灯１が、左右方向Ｘに関して間隔を空けて６つ（少なくとも３つ）の発光部１１を有する第１の照明部１０を含む。第１の照明部１０において、左右方向Ｘに関して隣り合う発光部１１の光軸１２同士が、前方に向かうに従って左右方向Ｘに関して離反している。
そして、複数の発光態様のうち所定の第１の態様（一例として、第３の発光態様ＬＭ３（図６（ｃ）参照））の終了に引き続いて、点灯している発光部が第１の態様と一部のみ重複する第２の態様（一例として、第２の発光態様ＬＭ２（図６（ｂ）参照）または第４の発光態様ＬＭ４（図６（ｄ）参照））が実行可能である。そして、複数の発光態様のうち所定の第１の態様（たとえば、第３の発光態様ＬＭ３）の終了に引き続いて、点灯している発光部が第２の態様と一部のみ重複するが第１の態様と全く重複しない第３の態様（一例として、第１の発光態様ＬＭ１（図６（ａ）参照）または第５の発光態様ＬＭ５（図６（ｅ）参照））は実行されない。
【００４３】
第１の態様（一例として、第３の発光態様ＬＭ３）から第２の態様（一例として、第２の発光態様ＬＭ２または第４の発光態様ＬＭ４）へと発光態様を切り換えることにより、照明領域が変化する。発光部（第１〜第６の発光部１１Ａ〜１１Ｆ）の点灯／消灯の切り換えにより、モータ等の駆動部を作業灯に設けることなく照明領域を変更できる。
また、第１の態様からは第２の態様にしか移行せず、第１の態様から第３の態様へ直接移行しない。そして、第１の態様から第２の態様への移行においては、一部の発光部の点灯を維持しながら、第１の態様において点灯していた発光部を消灯させ、かつ第１の態様において消灯していた発光部を点灯させる。
【００４４】
これにより、照明領域を、細かな単位で変更できる。これにより、デジタルサーチライトを実現できる。ゆえに、照明領域を円滑に変更できる。
以上により、モータや歯車等の駆動部を作業灯に設けることなく、照明領域を円滑に変更できる作業灯を提供できる。
また、第１の照明部１０において、発光している発光部１１の個数（たとえば２つ）を維持しながら、第１の発光態様ＬＭ１から第２の発光態様ＬＭ２、第３の発光態様ＬＭ３へと順に移行できる。これにより、照明領域の大きさを維持したまま、照明領域の位置を変更することができる。
【００４５】
図８（ａ），８（ｂ）は、本発明の第２の実施形態に係る作業灯２０１の構成を示す斜視図である。図９Ａは、作業灯２０１の使用状況を説明するための模式的な正面図である。    図９Ｂは、作業灯２０１の模式的な側面図である。図１０（ａ）〜１０（ｃ）は、第１の照明部１０および第２の照明部２１０の発光態様を説明するための模式的な正面図である。図１１（ａ）〜１１（ｃ）は、照明領域の位置の変更を説明するための図である。
【００４６】
第２の実施形態において、前述の第１の実施形態と共通する部分には、それぞれ、図１〜図７の場合と同一の参照符号を付し説明を省略する。
第２の実施形態に係る作業灯２０１が、第１の実施形態に係る作業灯１と相違する点は、第１の照明部１０に加え、第２の照明部２１０をさらに含む点にある。
図８および図９Ａに示すように、作業灯２０１は、第１の照明部１０と、第２の照明部２１０と、設置位置ＩＰにおいて、第１の照明部１０および第２の照明部２１０を支持する支持台２０２と、制御装置３（図５参照）と、リモコン２０４（図１参照）とを含む。第２の照明部２１０は、第１の照明部１０の上方に配置されている。第１の照明部１０および第２の照明部２１０のそれぞれは、支持台２０２に対する上下方向Ｚに対する向きを変更可能に、支持台２０２に取り付けられている。すなわち、第１の照明部１０は、水平面に対する照明角度を変更可能であり、かつ第２の照明部２１０は、水平面に対する照明角度を変更可能である。支持台２０２に対する第２の照明部２１０の姿勢は、第２の照明部２１０による照明領域が、作業領域ＷＡ（すなわち、照明対象領域）に位置するように設定されている。より具体的には、図９Ｂに示すように、第２の照明部２１０に含まれる発光部２１１Ａ〜２１１Ｆの光軸１２が、第１の照明部１０に含まれる発光部１１Ａ〜１１Ｆの光軸１２に対し、前方に向かうに従って上下方向Ｚに関して離反している。
【００４７】
第２の照明部２１０は、第１の照明部１０と同等の構成を備えている。すなわち、第２の照明部２１０は、６つの発光部（第１の発光部１１Ａ〜第６の発光部１１Ｆに相当）を含む。そして、第２の照明部２１０に含まれる発光部は、第１の照明部１０に含まれる発光部と上下方向Ｚの位置（上下位置）および左右方向Ｘの位置（左右位置）が揃っている。すなわち、第１および第２の照明部１０，２１０に含まれる複数の発光部は行列状に並置されている。
【００４８】
但し、後述する図１０では、第２の照明部２１０の第１の発光部を第７の発光部２１１Ａ（図１０（ａ）等参照）とし、第２の照明部２１０の第２の発光部を第８の発光部２１１Ｂ（図１０（ａ）等参照）とする。また、第２の照明部２１０の第３の発光部を第９の発光部２１１Ｃ（図１０（ａ）等参照）とし、第２の照明部２１０の第４の発光部を第１０の発光部２１１Ｄ（図１０（ａ）等参照）とする。また、第２の照明部２１０の第５の発光部を第１１の発光部２１１Ｅ（図１０（ａ）等参照）とし、第２の照明部２１０の第６の発光部を第１２の発光部２１１Ｆ（図１０（ａ）等参照）とする。
【００４９】
具体的には、第７の発光部２１１Ａの点灯に伴って、第７の照明領域２３０Ａ（図１１（ａ）等参照）が作業領域ＷＡにおいて形成される。第８の発光部２１１Ｂの点灯に伴って、第８の照明領域２３０Ｂ（図１１（ａ）等参照）が作業領域ＷＡにおいて形成される。第９の発光部２１１Ｃの点灯に伴って、第９の照明領域２３０Ｃ（図１１（ａ）等参照）が作業領域ＷＡにおいて形成される。第１０の発光部２１１Ｄの点灯に伴って、第１０の照明領域２３０Ｄ（図１１（ａ）等参照）が作業領域ＷＡにおいて形成される。第１１の発光部２１１Ｅの点灯に伴って、第１１の照明領域２３０Ｅ（図１１（ａ）等参照）が作業領域ＷＡにおいて形成される。第１２の発光部２１１Ｆの点灯に伴って、第１２の照明領域２３０Ｆ（図１１（ａ）等参照）が作業領域ＷＡにおいて形成される。
【００５０】
図１および図５に二点鎖線に示すように、リモコン２０４には、中央スイッチ４１、左キー４２および右キー４３の他に、上キー２４２および下キー２４３が備えられている。
点灯制御部３１は、リモコン２０４の操作に基づいて、各発光部（第１の発光部１１Ａ〜第６の発光部１１Ｆおよび第７の発光部２１１Ａ〜第１２の発光部２１１Ｆ）の点灯動作および消灯動作を制御する。
【００５１】
第２の照明部２１０の発光態様は、第１の照明部１０の発光態様と同様に５態様（第６の発光態様〜第１０の発光態様）ある。第６の発光態様は、第７の発光部２１１Ａおよび第８の発光部２１１Ｂを同時に点灯させながら、他の発光部（第９の発光部２１１Ｃ、第１０の発光部２１１Ｄ、第１１の発光部２１１Ｅおよび第１２の発光部２１１Ｆ）を消灯させる態様である。第６の発光態様は、第１の照明部１０の第１の発光態様ＬＭ１（図６（ａ）参照）と同様の態様である。第２の照明部２１０が第６の発光態様で発光しているとき、２つの略円形の第７および第８の照明領域２３０Ａ，２３０Ｂ（それぞれ、たとえば直径約７０ｃｍの略円形）が、作業領域ＷＡにおいて一方向に沿って並ぶ。角度θ１が２２°である場合、隣接する第７および第８の照明領域２３０Ａ，２３０Ｂは、互いに部分的に重複している。また、第７および第８の照明領域２３０Ａ，２３０Ｂは、それぞれ、第１および第２の照明領域３０Ａ，３０Ｂに互いに部分的に重複している。
【００５２】
第７の発光態様は、第８の発光部２１１Ｂおよび第９の発光部２１１Ｃを同時に点灯させながら、他の発光部（第７の発光部２１１Ａ、第１０の発光部２１１Ｄ、第１１の発光部２１１Ｅおよび第１２の発光部２１１Ｆ）を消灯させる態様である。第７の発光態様は、第１の照明部１０の第２の発光態様ＬＭ２（図６（ｂ）参照）と同様の態様である。第２の照明部２１０が第７の発光態様で発光しているとき、２つの略円形の第８および第９の照明領域２３０Ｂ，２３０Ｃ（それぞれ、たとえば直径約７０ｃｍの略円形）が、作業領域ＷＡにおいて一方向に沿って並ぶ。角度θ２が２２°である場合、隣接する第８および第９の照明領域２３０Ｂ，２３０Ｃは、互いに部分的に重複している。また、第８および第９の照明領域２３０Ｂ，２３０Ｃは、それぞれ、第２および第３の照明領域３０Ｂ，３０Ｃに互いに部分的に重複している。
【００５３】
第８の発光態様は、第９の発光部２１１Ｃおよび第１０の発光部２１１Ｄを同時に点灯させながら、他の発光部（第７の発光部２１１Ａ、第８の発光部２１１Ｂ、第１１の発光部２１１Ｅおよび第１２の発光部２１１Ｆ）を消灯させる態様である。第８の発光態様は、第１の照明部１０の第３の発光態様ＬＭ３（図６（ｃ）参照）と同様の態様である。第２の照明部２１０が第８の発光態様で発光しているとき、２つの略円形の第９および第１０の照明領域２３０Ｃ，２３０Ｄ（それぞれ、たとえば直径約７０ｃｍの略円形）が、作業領域ＷＡにおいて一方向に沿って並ぶ。角度θ３が２２°である場合、隣接する第９および第１０の照明領域２３０Ｃ，２３０Ｄは、互いに部分的に重複している。また、第９および第１０の照明領域２３０Ｃ，２３０Ｄは、それぞれ、第３および第４の照明領域３０Ｃ，３０Ｄに互いに部分的に重複している。
【００５４】
第９の発光態様は、第１０の発光部２１１Ｄおよび第１１の発光部２１１Ｅを同時に点灯させながら、他の発光部（第７の発光部２１１Ａ、第８の発光部２１１Ｂ、第９の発光部２１１Ｃおよび第１２の発光部２１１Ｆ）を消灯させる態様である。第９の発光態様は、第１の照明部１０の第４の発光態様ＬＭ４（図６（ｄ）参照）と同様の態様である。第２の照明部２１０が第９の発光態様で発光しているとき、２つの略円形の第１０および第１１の照明領域２３０Ｄ，２３０Ｅ（それぞれ、たとえば直径約７０ｃｍの略円形）が、作業領域ＷＡにおいて一方向に沿って並ぶ。角度θ４が２２°である場合、隣接する第１０および第１１の照明領域２３０Ｄ，２３０Ｅは、互いに部分的に重複している。また、第１０および第１１の照明領域２３０Ｄ，２３０Ｅは、それぞれ、第４および第５の照明領域３０Ｄ，３０Ｅに部分的に重複している。
【００５５】
第１０の発光態様は、第１１の発光部２１１Ｅおよび第１２の発光部２１１Ｆを同時に点灯させながら、他の発光部（第７の発光部２１１Ａ、第８の発光部２１１Ｂ、第９の発光部２１１Ｃおよび第１０の発光部２１１Ｄ）を消灯させる態様である。第１０の発光態様は、第１の照明部１０の第５の発光態様ＬＭ５（図６（ｅ）参照）と同様の態様である。第２の照明部２１０が第１０の発光態様で発光しているとき、２つの略円形の第１１および第１２の照明領域２３０Ｅ，２３０Ｆ（それぞれ、たとえば直径約７０ｃｍの略円形）が、作業領域ＷＡにおいて一方向に沿って並ぶ。角度θ５が２２°である場合、隣接する第１１および第１２の照明領域２３０Ｅ，２３０Ｆは、互いに部分的に重複している。また、第１１および第１２の照明領域２３０Ｅ，２３０Ｆは、それぞれ、第５および第６の照明領域３０Ｅ，３０Ｆに互いに部分的に重複している。
【００５６】
第１および第２の照明部１０，２１０の発光状態／非発光状態の切り換え、第１および第２の照明部１０，２１０のうち発光させる照明部の切り換え、ならびに、各照明部１０の発光態様の切り換え（第１の発光態様ＬＭ１〜第５の発光態様ＬＭ５の間での切り換え、および第６の発光態様〜第１０の発光態様の切り換え）は、作業者がリモコン２０４を操作することにより行われる。
【００５７】
第１の照明部１０の消灯状態から、リモコン２０４の中央スイッチ４１が操作（オン操作）されると、点灯制御部３１は、第１および第２の照明部１０，２１０を、１０つの発光態様のうち、所定の一の発光態様（たとえば第１の照明部１０の第３の発光態様ＬＭ３（図６（ａ）参照））で発光するように制御する。そして、左キー４２、右キー４３、上キー２４２および下キー２４３を操作することにより、第１および第２の照明部１０，２１０の発光態様が切り換えられる（第１の発光態様ＬＭ１〜第１０の発光態様の間で切り換えられる）。そして、リモコン２０４の中央スイッチ４１が操作（オフ操作）されることにより、点灯制御部３１は、全ての発光部１１を消灯させる（非発光状態）。
【００５８】
次に、第１および第２の照明部１０，２１０の発光態様の切り換え（第１の発光態様ＬＭ１〜第１０の発光態様の間での切り換え）について説明する。
発光先を第１の照明部１０と第２の照明部２１０とで切り換えることができる。具体的には、第１の照明部１０の第１の発光態様ＬＭ１（図６（ａ）参照）と、第２の照明部２１０の第６の発光態様との間で発光態様の切り換えが可能である。第１の照明部１０が第１の発光態様ＬＭ１で発光している状態で、上キー２４２が１回操作されると、第１および第２の照明部１０，２１０の発光態様が、第２の照明部２１０の第６の発光態様に切り換わる。これにより、第７および第８の照明領域２３０Ａ，２３０Ｂに移る。また、第２の照明部２１０が第６の発光態様で発光している状態で、下キー２４３が１回操作されると、第１および第２の照明部１０，２１０の発光態様が、第１の照明部１０の第１の発光態様ＬＭ１に切り換わる。これにより、照明領域が、第１および第２の照明領域３０Ａ，３０Ｂに移る。
【００５９】
また、第１の照明部１０の第２の発光態様ＬＭ２（図６（ｂ）参照）と、第２の照明部２１０の第７の発光態様との間で発光態様の切り換えが可能である。第１の照明部１０が第２の発光態様ＬＭ２で発光している状態で、上キー２４２が１回操作されると、第１および第２の照明部１０，２１０の発光態様が、第２の照明部２１０の第７の発光態様に切り換わる。これにより、照明領域が、第８および第９の照明領域２３０Ｂ，２３０Ｃに移る。また、第２の照明部２１０が第７の発光態様で発光している状態で、下キー２４３が１回操作されると、第１および第２の照明部１０，２１０の発光態様が、第１の照明部１０の第２の発光態様ＬＭ２に切り換わる。これにより、照明領域が、第２および第３の照明領域３０Ｂ，３０Ｃに移る。
【００６０】
また、第１の照明部１０の第３の発光態様ＬＭ３（図６（ｃ）参照）と、第２の照明部２１０の第８の発光態様ＬＭ８（図１０（ｂ）参照）との間で発光態様の切り換えが可能である。第１の照明部１０が第３の発光態様ＬＭ３で発光している状態で、上キー２４２が１回操作されると、第１および第２の照明部１０，２１０の発光態様が、第２の照明部２１０の第８の発光態様ＬＭ８に切り換わる。これにより、照明領域が、第９および第１０の照明領域２３０Ｃ，２３０Ｄに移る。また、第２の照明部２１０が第８の発光態様ＬＭ８で発光している状態で、下キー２４３が１回操作されると、第１および第２の照明部１０，２１０の発光態様が、第１の照明部１０の第３の発光態様ＬＭ３に切り換わる。これにより、照明領域が、第３および第４の照明領域３０Ｃ，３０Ｄに移る。
【００６１】
また、第１の照明部１０の第４の発光態様ＬＭ４（図６（ｄ）参照）と、第２の照明部２１０の第９の発光態様ＬＭ９（図１０（ｃ）参照）との間で発光態様の切り換えが可能である。第１の照明部１０が第４の発光態様ＬＭ４で発光している状態で、上キー２４２が１回操作されると、第１および第２の照明部１０，２１０の発光態様が、第２の照明部２１０の第９の発光態様ＬＭ９に切り換わる。これにより、照明領域が、第１０および第１１の照明領域２３０Ｄ，２３０Ｅに移る。また、第２の照明部２１０が第９の発光態様ＬＭ９で発光している状態で、下キー２４３が１回操作されると、第１および第２の照明部１０，２１０の発光態様が、第１の照明部１０の第４の発光態様ＬＭ４に切り換わる。これにより、照明領域が、第４および第５の照明領域３０Ｄ，３０Ｅに移る。
【００６２】
また、第１の照明部１０の第５の発光態様ＬＭ５（図６（ｅ）参照）と、第２の照明部２１０の第１０の発光態様との間で発光態様の切り換えが可能である。第１の照明部１０が第５の発光態様ＬＭ５で発光している状態で、上キー２４２が１回操作されると、第１および第２の照明部１０，２１０の発光態様が、第２の照明部２１０の第１０の発光態様に切り換わる。これにより、照明領域が、第１１および第１２の照明領域２３０Ｅ，２３０Ｆに移る。また、第２の照明部２１０が第１０の発光態様で発光している状態で、下キー２４３が１回操作されると、第１および第２の照明部１０，２１０の発光態様が、第１の照明部１０の第５の発光態様ＬＭ５に切り換わる。これにより、照明領域が、第５および第６の照明領域３０Ｅ，３０Ｆに移る。
【００６３】
以上により、第２の実施形態によれば、作業灯２０１が、第１の照明部１０と、第２の照明部２１０と、を含む。第２の照明部２１０において、左右方向Ｘに関して隣り合う発光部２１１Ａ，２１１Ｂ，２１１Ｃ，２１１Ｄ，２１１Ｅ，２１１Ｆの光軸同士が、前方に向かうに従って左右方向Ｘに関して離反している。
そして、第１の照明部１０の所定の第１の態様（一例として、第３の発光態様ＬＭ３（図６（ｃ）参照））の終了に引き続いて、第２の照明部２１０が所定の第４の態様（一例として、第８の発光態様ＬＭ８（図１０（ｂ）参照））で発光させられる。そして、複数の発光態様のうち第１の態様（たとえば、第３の発光態様ＬＭ３）の終了に引き続いて、第２の照明部２１０は他の態様（この場合、第６の発光態様、第７の発光態様、第９の発光態様ＬＭ９、第１０の発光態様）は実行されない。
【００６４】
これにより、照明領域を、互いに直交する２方向に細かな単位で変更できる。これにより、２次元のデジタルサーチライトを実現できる。ゆえに、照明領域を、より広範囲で円滑に変更できる。
したがって、発光部（発光部１１Ａ〜１１Ｆおよび発光部２１１Ａ〜２１１Ｆ）の点灯／消灯の切り換えにより、モータや歯車等の駆動部を作業灯に設けることなく、互いに異なる２方向に照明領域を変更できる。
【００６５】
図１２Ａ（ａ），１２Ａ（ｂ）は、本発明の第３の実施形態に係る作業灯３０１の構成を示す斜視図である。図１２Ｂは、作業灯３０１の模式的な側面図である。図１３は、作業灯３０１の使用状況を説明するための模式的な正面図である。図１４は、照明領域の位置の変更を説明するための図である。
第３の実施形態において、前述の第１の実施形態や第２の実施形態と共通する部分には、それぞれ、図１〜図１１の場合と同一の参照符号を付し説明を省略する。
【００６６】
第３の実施形態に係る作業灯３０１が、第２の実施形態に係る作業灯２０１と相違する点は、第１および第２の照明部１０，２１０に加え、第３の照明部３１０をさらに含む点にある。
図１２Ａに示すように、作業灯３０１は、第１の照明部１０と、第２の照明部２１０と、設置位置ＩＰ（図９Ａ等参照）において、第１および第２の照明部１０，２１０ならびに第３の照明部３１０を支持する支持台３０２と、制御装置３（図５参照）と、リモコン２０４（図５等参照）とを含む。第３の照明部３１０は、第２の照明部２１０のさらに上方に配置されている。第１の照明部１０、第２の照明部２１０および第３の照明部３１０のそれぞれは、支持台３０２に対する上下方向（第２の方向）Ｚに対する向きを変更可能に、支持台３０２に取り付けられている。すなわち、第１の照明部１０は、水平面に対する照明角度を変更可能であり、第２の照明部２１０は、水平面に対する照明角度を変更可能であり、かつ第３の照明部３１０は、水平面に対する照明角度を変更可能である。支持台３０２に対する第３の照明部３１０の姿勢は、第３の照明部３１０による照明領域が、作業領域ＷＡ（すなわち、照明対象領域）に位置するように設定されている。より具体的には、図１２Ｂに示すように、第３の照明部３１０に含まれる発光部３１１Ａ〜３１１Ｆの光軸１２が、第２の照明部２１０に含まれる発光部２１１Ａ〜２１１Ｆの光軸１２に対し、前方に向かうに従って上下方向Ｚに関して離反している。
【００６７】
第３の照明部３１０は、第１の照明部１０と同等の構成を備えている。すなわち、第３の照明部３１０は、６つの発光部（第１の発光部１１Ａ〜第６の発光部１１Ｆに相当）を含む。そして、第３の照明部３１０に含まれる発光部は、第１および第２の照明部１０，２１０に含まれる発光部と上下位置および左右位置が揃っている。すなわち、第１、第２および第３の照明部１０，２１０，３１０に含まれる複数の発光部は行列状に並置されている。
【００６８】
但し、後述する図１３では、第３の照明部３１０の第１の発光部を第１３の発光部３１１Ａ（図１３（ａ）等参照）とし、第３の照明部３１０の第２の発光部を第１４の発光部３１１Ｂ（図１３（ａ）等参照）とする。また、第３の照明部３１０の第３の発光部を第１５の発光部３１１Ｃ（図１３（ａ）等参照）とし、第３の照明部３１０の第４の発光部を第１６の発光部３１１Ｄ（図１３（ａ）等参照）とする。また、第３の照明部３１０の第５の発光部を第１７の発光部３１１Ｅ（図１３（ａ）等参照）とし、第３の照明部３１０の第６の発光部を第１８の発光部３１１Ｆ（図１３（ａ）等参照）とする。
【００６９】
具体的には、第１３の発光部３１１Ａの点灯に伴って、第１３の照明領域３３０Ａ（図１４（ａ）等参照）が作業領域ＷＡにおいて形成される。第１４の発光部３１１Ｂの点灯に伴って、第１４の照明領域３３０Ｂ（図１４（ａ）等参照）が作業領域ＷＡにおいて形成される。第１５の発光部３１１Ｃの点灯に伴って、第１５の照明領域３３０Ｃ（図１４（ａ）等参照）が作業領域ＷＡにおいて形成される。第１６の発光部３１１Ｄの点灯に伴って、第１６の照明領域３３０Ｄ（図１４（ａ）等参照）が作業領域ＷＡにおいて形成される。第１７の発光部３１１Ｅの点灯に伴って、第１７の照明領域３３０Ｅ（図１４（ａ）等参照）が作業領域ＷＡにおいて形成される。第１８の発光部３１１Ｆの点灯に伴って、第１８の照明領域３３０Ｆ（図１４（ａ）等参照）作業領域ＷＡにおいてが形成される。
【００７０】
点灯制御部３１は、リモコン２０４の操作に基づいて、各発光部（第１の発光部１１Ａ〜第６の発光部１１Ｆ、第１３の発光部３１１Ａ〜第１８の発光部３１１Ｆおよび第1３の発光部３１１Ａ〜第１８の発光部３１１Ｆ）の点灯動作および消灯動作を制御する。
第３の照明部３１０の発光態様は、第１の照明部１０の発光態様と同様に５態様（第１１の発光態様〜第１５の発光態様）ある。第１１の発光態様は、第１３の発光部３１１Ａおよび第１４の発光部３１１Ｂを同時に点灯させながら、他の発光部（第１５の発光部３１１Ｃ、第１６の発光部３１１Ｄ、第１７の発光部３１１Ｅおよび第１８の発光部３１１Ｆ）を消灯させる態様である。第１１の発光態様は、第１の照明部１０の第１の発光態様ＬＭ１（図６（ａ）参照）と同様の態様である。第３の照明部３１０が第１１の発光態様で発光しているとき、２つの略円形の第１３および第１４の照明領域３３０Ａ，３３０Ｂ（それぞれ、たとえば直径約７０ｃｍの略円形）が、左右方向Ｘ（第１の方向）に沿って並ぶ。角度θ１が２２°である場合、隣接する第１３および第１４の照明領域３３０Ａ，３３０Ｂは、互いに部分的に重複している。また、第１３および第１４の照明領域３３０Ａ，３３０Ｂは、それぞれ、第７および第８の照明領域２３０Ａ，２３０Ｂに互いに部分的に重複している。
【００７１】
第１２の発光態様は、第１４の発光部３１１Ｂおよび第１５の発光部３１１Ｃを同時に点灯させながら、他の発光部（第１３の発光部３１１Ａ、第１６の発光部３１１Ｄ、第１７の発光部３１１Ｅおよび第１８の発光部３１１Ｆ）を消灯させる態様である。第１２の発光態様は、第１の照明部１０の第２の発光態様ＬＭ２（図６（ｂ）参照）と同様の態様である。第３の照明部３１０が第１２の発光態様で発光しているとき、２つの略円形の第１４および第１５の照明領域３３０Ｂ，３３０Ｃ（それぞれ、たとえば直径約７０ｃｍの略円形）が一方向に沿って並ぶ。角度θ２が２２°である場合、隣接する第１４および第１５の照明領域３３０Ｂ，３３０Ｃは、互いに部分的に重複している。また、第１４および第１５の照明領域３３０Ｂ，３３０Ｃは、それぞれ、第８および第９の照明領域２３０Ｂ，２３０Ｃに互いに部分的に重複している。
【００７２】
第１３の発光態様は、第１５の発光部３１１Ｃおよび第１６の発光部３１１Ｄを同時に点灯させながら、他の発光部（第１３の発光部３１１Ａ、第１４の発光部３１１Ｂ、第１７の発光部３１１Ｅおよび第１８の発光部３１１Ｆ）を消灯させる態様である。第１３の発光態様は、第１の照明部１０の第３の発光態様ＬＭ３（図６（ｃ）参照）と同様の態様である。第２の照明部２１０が第１３の発光態様で発光しているとき、２つの略円形の第１５および第１６の照明領域３３０Ｃ，３３０Ｄ（それぞれ、たとえば直径約７０ｃｍの略円形）が、一方向に沿って並ぶ。角度θ３が２２°である場合、隣接する第１５および第１６の照明領域３３０Ｃ，３３０Ｄは、互いに部分的に重複している。また、第１５および第１６の照明領域３３０Ｃ，３３０Ｄは、それぞれ、第９および第１０の照明領域２３０Ｃ，２３０Ｄに互いに部分的に重複している。
【００７３】
第１４の発光態様は、第１６の発光部３１１Ｄおよび第１７の発光部３１１Ｅを同時に点灯させながら、他の発光部（第１３の発光部３１１Ａ、第１４の発光部３１１Ｂ、第１５の発光部３１１Ｃおよび第１８の発光部３１１Ｆ）を消灯させる態様である。第１４の発光態様は、第１の照明部１０の第４の発光態様ＬＭ４（図６（ｄ）参照）と同様の態様である。第２の照明部２１０が第１４の発光態様で発光しているとき、２つの略円形の第１６および第１７の照明領域３３０Ｄ，３３０Ｅ（それぞれ、たとえば直径約７０ｃｍの略円形）が、一方向に沿って並ぶ。角度θ４が２２°である場合、隣接する第１６および第１６の照明領域３３０Ｄ，３３０Ｅは、互いに部分的に重複している。また、第１６および第１７の照明領域３３０Ｄ，３３０Ｅは、それぞれ、第１０および第１１の照明領域２３０Ｄ，２３０Ｅに互いに部分的に重複している。
【００７４】
第１５の発光態様は、第１７の発光部３１１Ｅおよび第１８の発光部３１１Ｆを同時に点灯させながら、他の発光部（第１３の発光部３１１Ａ、第１４の発光部３１１Ｂ、第１５の発光部３１１Ｃおよび第１６の発光部３１１Ｄ）を消灯させる態様である。第１５の発光態様は、第１の照明部１０の第５の発光態様ＬＭ５（図６（ｅ）参照）と同様の態様である。第３の照明部３１０が第１５の発光態様で発光しているとき、２つの略円形の第１７および第１８の照明領域３３０Ｅ，３３０Ｆ（それぞれ、たとえば直径約７０ｃｍの略円形）が、一方向に沿って並ぶ。角度θ５が２２°である場合、隣接する第１７および第１８の照明領域３３０Ｅ，３３０Ｆは、互いに互いに部分的に重複している。また、第１７および第１８の照明領域３３０Ｅ，３３０Ｆは、それぞれ、第１１および第１２の照明領域２３０Ｅ，２３０Ｆに互いに部分的に重複している。
【００７５】
次に、第１、第２および第３の照明部１０，２１０，３１０の発光態様の切り換え（第１の発光態様ＬＭ１〜第１５の発光態様の間での切り換え）について説明する。
発光先を第２の照明部２１０と第３の照明部３１０とで切り換えることができる。具体的には、第２の照明部２１０の第６の発光態様と、第３の照明部３１０の第１１の発光態様との間で発光態様の切り換えが可能である。第２の照明部２１０が第６の発光態様で発光している状態で、上キー２４２が１回操作されると、第１、第２および第３の照明部１０，２１０，３１０の発光態様が、第３の照明部３１０の第１１の発光態様に切り換わる。これにより、照明領域が、第１３および第１４の照明領域３３０Ａ，３３０Ｂに移る。また、第３の照明部３１０が第１１の発光態様で発光している状態で、下キー２４３が１回操作されると、第１、第２および第３の照明部１０，２１０，３１０の発光態様が、第２の照明部２１０の第６の発光態様に切り換わる。これにより、照明領域が、第７および第８の照明領域２３０Ａ，２３０Ｂに移る。
【００７６】
また、第２の照明部２１０の第７の発光態様と、第３の照明部３１０の第１２の発光態様との間で発光態様の切り換えが可能である。第２の照明部２１０が第７の発光態様で発光している状態で、上キー２４２が１回操作されると、第１、第２および第３の照明部１０，２１０，３１０の発光態様が、第３の照明部３１０の第１２の発光態様に切り換わる。これにより、照明領域が、第１４および第１５の照明領域３３０Ｂ，３３０Ｃに移る。また、第３の照明部３１０が第１２の発光態様で発光している状態で、下キー２４３が１回操作されると、第１、第２および第３の照明部１０，２１０，３１０の発光態様が、第２の照明部２１０の第７の発光態様に切り換わる。これにより、照明領域が、第８および第９の照明領域２３０Ｂ，２３０Ｃに移る。
【００７７】
また、第２の照明部２１０の第８の発光態様ＬＭ８（図１０（ｂ）参照）と、第３の照明部３１０の第１３の発光態様ＬＭ１３（図１０（ａ）参照）との間で発光態様の切り換えが可能である。第２の照明部２１０が第８の発光態様ＬＭ８で発光している状態で、上キー２４２が１回操作されると、第１、第２および第３の照明部１０，２１０，３１０の発光態様が、第２の照明部２１０の第１３の発光態様ＬＭ１３に切り換わる。これにより、照明領域が、第１５および第１６の照明領域３３０Ｃ，３３０Ｄに移る。また、第３の照明部３１０が第１３の発光態様ＬＭ１３で発光している状態で、下キー２４３が１回操作されると、第１、第２および第３の照明部１０，２１０，３１０の発光態様が、第２の照明部２１０の第８の発光態様ＬＭ８に切り換わる。これにより、照明領域が、第９および第１０の照明領域２３０Ｃ，２３０Ｄに移る。
【００７８】
また、第２の照明部２１０の第９の発光態様ＬＭ９（図１０（ｃ）参照）と、第３の照明部３１０の第１４の発光態様との間で発光態様の切り換えが可能である。第２の照明部２１０が第９の発光態様ＬＭ９で発光している状態で、上キー２４２が１回操作されると、第１、第２および第３の照明部１０，２１０，３１０の発光態様が、第３の照明部３１０の第１４の発光態様に切り換わる。これにより、照明領域が、第１６および第１７の照明領域３３０Ｄ，３３０Ｅに移る。また、第３の照明部３１０が第１４の発光態様で発光している状態で、下キー２４３が１回操作されると、第１、第２および第３の照明部１０，２１０，３１０の発光態様が、第２の照明部２１０の第９の発光態様ＬＭ９に切り換わる。これにより、照明領域が、第１０および第１１の照明領域２３０Ｄ，２３０Ｅに移る。
【００７９】
また、第２の照明部２１０の第１０の発光態様と、第３の照明部３１０の第１５の発光態様との間で発光態様の切り換えが可能である。第２の照明部２１０が第１０の発光態様で発光している状態で、上キー２４２が１回操作されると、第１、第２および第３の照明部１０，２１０，３１０の発光態様が、第３の照明部３１０の第１５の発光態様に切り換わる。これにより、照明領域が、第１７および第１８の照明領域３３０Ｅ，３３０Ｆに移る。また、第３の照明部３１０が第１５の発光態様で発光している状態で、下キー２４３が１回操作されると、第１、第２および第３の照明部１０，２１０，３１０の発光態様が、第２の照明部２１０の第１０の発光態様に切り換わる。これにより、照明領域が、第１１および第１２の照明領域２３０Ｅ，２３０Ｆに移る。
【００８０】
なお、第１の照明部１０の発光態様（第１の発光態様ＬＭ１〜第５の発光態様ＬＭ５）と第３の照明部３１０の発光態様（第１１の発光態様〜第１５の発光態様）との切り換えをダイレクトに行うことはできず、必ず第２の照明部２１０の発光態様（第６の発光態様〜第１０の発光態様）の介在が必要になる。
以上により、第２の実施形態によれば、第３の実施形態で述べた作用効果と同等の作用効果を奏することができる。
【００８１】
以上、この発明の３つの実施形態について説明したが、本発明は、さらに他の形態で実施することも可能である。
たとえば、図１５（ａ），１５（ｂ）に示すように、各照明部１０，２１０，３１０において同時に発光（点灯）する発光部の個数が、２つでなく３つであってもよい。図１５（ａ），１５（ｂ）の各発光態様において、３つの発光部が発光する。これらの発光態様に対応する照明領域を、それぞれ図１６（ａ），１６（ｂ）に示す。なお、同時に発光する発光部１１は、４つ以上であってもよい。
【００８２】
また、前述の各実施形態において、各照明部１０，２１０，３１０に含まれる発光部の総数は６つに限られず、同時に発光する発光部の個数よりも多い個数であれば６つ以外であってもよい。また、各照明部に含まれる発光部の数は、互いに等しいことが望ましいが、異なっていてもよい。
また、第１および第２の実施形態において、個々の照明部１０，２１０，３１０が独立して操作可能であってもよい。
【００８３】
具体的には、第１の照明部１０の消灯状態において、リモコン４の上キー２４２が操作されると、リモコン４の中央スイッチ４１や下キー２４３が次に操作されるまで、第１の照明部１０を制御するモードになる。そして、リモコン４の左キー４２および右キー４３が操作されることにより、第１の照明部１０による照明領域が左右に移動する。
また、第２の照明部２１０の消灯状態において、リモコン４の中央スイッチ４１が操作されると、リモコン４の上キー２４２や下キー２４３が次に操作されるまで、第２の照明部２１０を制御するモードになる。そして、リモコン４の左キー４２および右キー４３が操作されることにより、第２の照明部２１０による照明領域が左右に移動する。
【００８４】
また、第３の照明部３１０の消灯状態において、リモコン４の下キー２４３が操作されると、リモコン４の中央スイッチ４１や上キー２４２が次に操作されるまで、第３の照明部３１０を制御するモードになる。そして、リモコン４の左キー４２および右キー４３が操作されることにより、第３の照明部３１０による照明領域が左右に移動する。
この場合、個々の照明部１０，２１０，３１０を同時に点灯させることも可能である。第１の照明部１０の点灯状態においてリモコン４の上キー２４２が操作されると、第１の照明部１０が消灯される。第２の照明部２１０の点灯状態においてリモコン４の中央スイッチ４１が操作されると、第２の照明部２１０が消灯される。第３の照明部３１０の点灯状態においてリモコン４の下キー２４３が操作されると、第３の照明部３１０が消灯される。  また、前述の各実施形態において、上下方向Ｚに並ぶ照明部１０，２１０，３１０の個数は、１〜３つに限られず、４つ以上であってもよい。
【００８５】
また、前述の各実施形態において、上下方向Ｚに並ぶ照明部１０，２１０，３１０含まれる発光部の上下方向位置が揃っていなくてもよい（行列状でなくてもよい）。
また、前述の各実施形態において、上下方向Ｚに並ぶ隣り合う照明部１０，２１０，３１０に含まれる発光部の光軸は、前方に向かうに従って左右方向Ｘに関して離反する必要は必ずしもない。上下方向Ｚに関して、各照明部１０，２１０，３１０に含まれる発光部の光軸が揃っていてもよい。
【００８６】
また、各照明部１０，２１０，３１０において、複数の発光部が円弧状ではなく、異直線状に並んでいてもよい。
また、前述の各実施形態において、照明部１０，２１０，３１０（の第１方向）が左右方向Ｘではなく、他の方向（たとえば上下方向Ｚ）に沿って延びていてもよい。この場合、複数の照明部の配列方向（第２方向）は、左右方向Ｘである。
【００８７】
また、前述の各実施形態において、１つの発光部に割り当てられるランプの数が１つでなく複数であってもよい。すなわち、複数の光源によって１つの発光部が構成されていてもよい。
また、発光部は、列状に配置されていなくてもよく、作業領域ＷＡから見て、一列に配列されていればよい。
【００８８】
その他、特許請求の範囲に記載された事項の範囲で種々の設計変更を施すことが可能で
ある。
【符号の説明】
【００８９】
１        ：作業灯
３        ：制御装置
１０      ：第１の照明部
１１Ａ    ：第１の発光部
１１Ｂ    ：第２の発光部
１１Ｃ    ：第３の発光部
１１Ｄ    ：第４の発光部
１１Ｅ    ：第５の発光部
１１Ｆ    ：第６の発光部
２０１    ：作業灯
１２Ａ    ：光軸
１２Ｂ    ：光軸
１２Ｃ    ：光軸
１２Ｄ    ：光軸
１２Ｅ    ：光軸
１２Ｆ    ：光軸
３１      ：点灯制御部（点灯制御装置）
２０１    ：作業灯
２１０    ：第２の照明部
２１１Ａ  ：第７の発光部
２１１Ｂ  ：第８の発光部
２１１Ｃ  ：第９の発光部
２１１Ｄ  ：第１０の発光部
２１１Ｅ  ：第１１の発光部
２１１Ｆ  ：第１２の発光部
３０１    ：作業灯
３１０    ：第３の照明部
３１１    ：第１６の発光部
３１１Ａ  ：第１３の発光部
３１１Ｂ  ：第１４の発光部
３１１Ｃ  ：第１５の発光部
３１１Ｄ  ：第１６の発光部
３１１Ｅ  ：第１７の発光部
３１１Ｆ  ：第１８の発光部
ＬＭ１    ：第１の発光態様（第１の態様、第２の態様）
ＬＭ２    ：第２の発光態様（第１の態様、第２の態様）
ＬＭ３    ：第３の発光態様（第１の態様、第２の態様）
ＬＭ４    ：第４の発光態様（第１の態様、第２の態様）
ＬＭ５    ：第５の発光態様（第１の態様、第２の態様）
ＷＡ      ：作業領域（照明対象領域）
Ｘ        ：左右方向（第１の方向）
Ｙ        ：上下方向（第２の方向）
【図１】
2020149851.tif 000003
【図２】
2020149851.tif 000004
【図３】
2020149851.tif 000005
【図４】
2020149851.tif 000006
【図５】
2020149851.tif 000007
【図６】
2020149851.tif 000008
【図７】
2020149851.tif 000009
【図８】
2020149851.tif 000010
【図９Ａ】
2020149851.tif 000011
【図９Ｂ】
2020149851.tif 000012
【図１０】
2020149851.tif 000013
【図１１】
2020149851.tif 000014
【図１２Ａ】
2020149851.tif 000015
【図１２Ｂ】
2020149851.tif 000016
【図１３】
2020149851.tif 000017
【図１４】
2020149851.tif 000018
【図１５】
2020149851.tif 000019
【図１６】
2020149851.tif 000020
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
所定の照明対象領域を照明する作業灯であって、
前記照明対象領域から見て、前後方向に交差する所定の第１の方向に沿って一列に配列された、点灯および消灯可能な３つ以上の発光部を含む第１の照明部と、
前記第１の照明部に対して、前記第１の方向および前後方向に交差する所定の第２の方向に配置された第２の照明部であって、前記照明対象領域から見て、前記第１の方向に沿って一列に配列された、点灯および消灯可能な３つ以上の発光部を含む第２の照明部と、
前記第１の照明部に含まれる各発光部および前記第２の照明部に含まれる各発光部の点灯および消灯を制御する点灯制御装置とを含み、
前記第１の照明部に含まれる各発光部および前記第２の照明部に含まれる各発光部が、前記第１の方向に関して隣り合う発光部の光軸同士が前方に向かうに従って前記第１の方向に関して離反しており、
前記点灯制御装置が、前記第１の照明部において他の発光部を消灯させながら互いに隣り合う複数の発光部を同時に点灯させる第１の態様と、前記第１の照明部において他の発光部を消灯させながら互いに隣り合う複数の発光部を同時に点灯させる態様であって、点灯している発光部が前記第１の態様と一部のみ重複する第２の態様と、前記第２の照明部において他の発光部を消灯させながら互いに隣り合う複数の発光部を同時に点灯させる第３の態様とを実行可能であり、
前記点灯制御装置が、前記第１の態様の終了に引き続いて前記第２の態様を実行可能であり、かつ前記第１の態様の終了または前記第２の態様の終了に引き続いて前記第３の態様を実行可能である、作業灯。
【請求項２】
前記第１の照明部に含まれる発光部の光軸と、前記第２の照明部に含まれる発光部の光軸とが、前方に向かうに従って前記第２の方向に関して離反するように設けられている、請求項１に記載の作業灯。
【請求項３】
所定の照明対象領域を照明する作業灯であって、
前記照明対象領域から見て、前後方向に交差する所定の第１の方向に沿って一列に配列された、点灯および消灯可能な３つ以上の発光部を含む第１の照明部と、
前記第１の照明部に対して、前記第１の方向および前後方向に交差する所定の第２の方向に配置された第２の照明部であって、前記照明対象領域から見て、前記第１の方向に沿って一列に配列された、点灯および消灯可能な３つ以上の発光部を含む第２の照明部と、
前記第１の照明部に含まれる各発光部および前記第２の照明部に含まれる各発光部の点灯および消灯を制御する点灯制御装置とを含み、
前記第１の照明部に含まれる各発光部および前記第２の照明部に含まれる各発光部が、前記第１の方向に関して隣り合う発光部の光軸同士が前方に向かうに従って前記第１の方向に関して離反しており、
前記第１の照明部に含まれる発光部の光軸と、前記第２の照明部に含まれる発光部の光軸とが、前方に向かうに従って前記第２の方向に関して離反するように設けられており、
前記点灯制御装置が、前記第１の照明部において他の発光部を消灯させながら互いに隣り合う複数の発光部を同時に点灯させる第１の態様と、前記第１の照明部において他の発光部を消灯させながら互いに隣り合う複数の発光部を同時に点灯させる態様であって、点灯している発光部が前記第１の態様と一部のみ重複する第２の態様とを実行可能であり、
前記点灯制御装置が、前記第２の照明部において他の発光部を消灯させながら互いに隣り合う複数の発光部を同時に点灯させる第３の態様と、前記第２の照明部において他の発光部を消灯させながら互いに隣り合う複数の発光部を同時に点灯させる態様であって、点灯している発光部が前記第３の態様と一部のみ重複する第４の態様とを実行可能である、作業灯。
【請求項４】
前記第２の態様において点灯している発光部が、前記第１の態様において点灯している発光部と同数である、請求項１〜３のいずれか一項に記載の作業灯。
【請求項５】
前記点灯制御装置が、他の発光部を消灯させながら互いに隣り合う複数の発光部を同時に点灯させる態様であって、点灯している発光部が前記第２の態様と一部のみ重複するが、点灯している発光部が前記第１の態様と全く重複しない、第５の態様をさらに実行可能であり、
前記点灯制御装置が、前記第１の態様の終了に引き続いて前記第５の態様を実行しない、請求項１〜４のいずれか一項に記載の作業灯。
【請求項６】
発光部が、１つまたは複数個の光源を含み、
各光源が、ＬＥＤを含む、請求項１〜５のいずれか一項に記載の作業灯。
【手続補正２】
【補正対象書類名】明細書
【補正対象項目名】０００７
【補正方法】変更
【補正の内容】
【０００７】
この発明の一実施形態では、前記第２の態様において発光している、前記第１の照明部に含まれる発光部が、前記第１の態様において発光している、前記第１の照明部に含まれる発光部と同数である。
この発明の一実施形態では、前記点灯制御装置が、他の発光部を消灯させながら互いに隣り合う複数の発光部を同時に点灯させる態様であって、点灯している発光部が前記第２の態様と一部のみ重複するが、点灯している発光部が前記第１の態様と全く重複しない、第５の態様をさらに実行可能であり、前記点灯制御装置が、前記第１の態様の終了に引き続いて前記第５の態様を実行しない。
【手続補正３】
【補正対象書類名】明細書
【補正対象項目名】０００８
【補正方法】変更
【補正の内容】
【０００８】
この発明の他の実施形態では、前記第１の照明部に対して、前記第１の方向および前後方向に交差する所定の第２の方向に配置された第２の照明部であって、前記照明対象領域から見て、前記第１の方向に沿って一列に配列された、点灯および消灯可能な３つ以上の発光部を含む第２の照明部をさらに含み、前記点灯制御装置が、前記第２の照明部に含まれる各発光部の点灯および消灯をさらに制御し、前記第２の照明部に含まれる各発光部が、前記第１の方向に関して隣り合う発光部の光軸同士が前方に向かうに従って前記第１の方向に関して離反しており、前記点灯制御装置が、他の発光部を消灯させながら互いに隣り合う複数の発光部を同時に点灯させる第３の態様をさらに実行可能であり、前記点灯制御装置が、前記第１の態様の終了または前記第２の態様の終了に引き続いて前記第３の態様を実行可能である。
【手続補正４】
【補正対象書類名】明細書
【補正対象項目名】００４２
【補正方法】変更
【補正の内容】
【００４２】
以上により、第１の実施形態によれば、作業灯１が、左右方向Ｘに関して間隔を空けて６つ（少なくとも３つ）の発光部１１を有する第１の照明部１０を含む。第１の照明部１０において、左右方向Ｘに関して隣り合う発光部１１の光軸１２同士が、前方に向かうに従って左右方向Ｘに関して離反している。
そして、複数の発光態様のうち所定の第１の態様（一例として、第３の発光態様ＬＭ３（図６（ｃ）参照））の終了に引き続いて、点灯している発光部が第１の態様と一部のみ重複する第２の態様（一例として、第２の発光態様ＬＭ２（図６（ｂ）参照）または第４の発光態様ＬＭ４（図６（ｄ）参照））が実行可能である。そして、複数の発光態様のうち所定の第１の態様（たとえば、第３の発光態様ＬＭ３）の終了に引き続いて、点灯している発光部が第２の態様と一部のみ重複するが第１の態様と全く重複しない第３の態様（特許請求の範囲の「第５の態様」。一例として、第１の発光態様ＬＭ１（図６（ａ）参照）または第５の発光態様ＬＭ５（図６（ｅ）参照））は実行されない。
【手続補正５】
【補正対象書類名】明細書
【補正対象項目名】００４３
【補正方法】変更
【補正の内容】
【００４３】
第１の態様（一例として、第３の発光態様ＬＭ３）から第２の態様（一例として、第２の発光態様ＬＭ２または第４の発光態様ＬＭ４）へと発光態様を切り換えることにより、照明領域が変化する。発光部（第１〜第６の発光部１１Ａ〜１１Ｆ）の点灯／消灯の切り換えにより、モータ等の駆動部を作業灯に設けることなく照明領域を変更できる。
また、第１の態様からは第２の態様にしか移行せず、第１の態様から第３の態様（特許請求の範囲の「第５の態様」）へ直接移行しない。そして、第１の態様から第２の態様への移行においては、一部の発光部の点灯を維持しながら、第１の態様において点灯していた発光部を消灯させ、かつ第１の態様において消灯していた発光部を点灯させる。
【手続補正６】
【補正対象書類名】明細書
【補正対象項目名】００６３
【補正方法】変更
【補正の内容】
【００６３】
以上により、第２の実施形態によれば、作業灯２０１が、第１の照明部１０と、第２の照明部２１０と、を含む。第２の照明部２１０において、左右方向Ｘに関して隣り合う発光部２１１Ａ，２１１Ｂ，２１１Ｃ，２１１Ｄ，２１１Ｅ，２１１Ｆの光軸同士が、前方に向かうに従って左右方向Ｘに関して離反している。
そして、第１の照明部１０の所定の第１の態様（一例として、第３の発光態様ＬＭ３（図６（ｃ）参照））の終了に引き続いて、第２の照明部２１０が所定の第４の態様（特許請求の範囲の「第３の態様」。一例として、第８の発光態様ＬＭ８（図１０（ｂ）参照））で発光させられる。そして、複数の発光態様のうち第１の態様（たとえば、第３の発光態様ＬＭ３）の終了に引き続いて、第２の照明部２１０は他の態様（この場合、第６の発光態様、第７の発光態様、第９の発光態様ＬＭ９、第１０の発光態様）は実行されない。
【手続補正７】
【補正対象書類名】明細書
【補正対象項目名】００８６
【補正方法】変更
【補正の内容】
【００８６】
また、各照明部１０，２１０，３１０において、複数の発光部が円弧状ではなく、直線状に並んでいてもよい。
また、前述の各実施形態において、照明部１０，２１０，３１０（の第１方向）が左右方向Ｘではなく、他の方向（たとえば上下方向Ｚ）に沿って延びていてもよい。この場合、複数の照明部の配列方向（第２方向）は、左右方向Ｘである。